(57)【特許請求の範囲】
【請求項１】
飛翔体に設けられ、目標物を撮像して画像データを生成する撮像装置の空間安定を行う空間安定化装置であって、
第１軸及び第２軸を有し、前記第１軸及び前記第２軸の回転により、前記撮像装置の撮像方向を、第１軸周り及び第２軸周りに回転させるジンバル機構と、
前記画像データに基づいて、前記撮像方向が前記目標物を向くように、前記ジンバル機構の動作を制御する制御装置と、
前記飛翔体の動揺角速度を測定する機体角速度センサと
を具備し、
前記制御装置は、
前記飛翔体の前記動揺角速度に基づいて、前記第１軸周りの前記飛翔体の動揺の影響が解消されるように前記第１軸を回転させ、前記第２軸周りの前記飛翔体の動揺の影響が解消されるように前記第２軸を回転させるジンバル制御部と、
前記第１軸の回転の応答性の限界により前記第１軸の回転だけでは前記第１軸周りの前記飛翔体の動揺の影響が補正されない場合に、前記第１軸周りの前記飛翔体の動揺の影響が補正されるように、前記画像データを変換し、前記第２軸の回転の応答性の限界により前記第２軸の回転だけでは前記第２軸周りの前記飛翔体の動揺の影響が補正されない場合に、前記第２軸周りの前記飛翔体の動揺の影響が補正されるように、前記画像データを変換して、変換後画像データを生成する画像変換部と
を備える
空間安定化装置。
【請求項２】
請求項１に記載された空間安定化装置であって、
前記第１軸の回転時の角速度を第１ジンバル角速度として測定し、及び前記第２軸の回転時の角速度を第２ジンバル角速度として測定するジンバル角速度センサ
を更に具備し、
前記制御装置は、前記飛翔体の前記動揺角速度を、前記第１軸周りの動揺角速度、及び前記第２軸周りの動揺角速度に変換する角速度変換部を更に備え、
前記画像変換部は、前記第１軸周りの動揺角速度と前記第１ジンバル角速度との差分に基づいて、前記第１軸周りの前記飛翔体の動揺の影響が補正されるように、前記画像データを変換し、前記第２軸周りの動揺角速度と前記第２ジンバル角速度との差分に基づいて、前記第２軸周りの前記飛翔体の動揺の影響が補正されるように、前記画像データを変換する
空間安定化装置。
【請求項３】
請求項１又は２に記載された空間安定化装置であって、
前記第１軸は、ロール軸であり、
前記第２軸は、前記ロール軸に直交する軸である
空間安定化装置。
【請求項４】
請求項１乃至３のいずれか一項に記載された空間安定化装置であって、
前記ジンバル機構は、更に、前記撮像装置の撮像方向を、前記第１軸及び前記第２軸周りに直交する第３軸周りにも回転させるように構成され、
前記ジンバル制御部は、更に、前記飛翔体の前記動揺角速度に基づいて、前記第３軸周りの前記飛翔体の動揺の影響が解消されるように前記第３軸を回転させるように構成され、
前記画像変換部は、前記第３軸の回転の応答性の限界により前記第３軸の回転だけでは前記第３軸周りの前記飛翔体の動揺の影響が補正されない場合に、前記第３軸周りの前記飛翔体の動揺の影響が補正されるように前記画像データを変換する
空間安定化装置。
【請求項５】
請求項４に記載された空間安定化装置であって、
前記機体角速度センサは、前記飛翔体の前記動揺角速度として、前記第１軸回りとしてのロール軸周り前記飛翔体の動揺角速度、前記第２軸回りとしてのピッチ軸周りの前記飛翔体の動揺角速度、及び前記第３軸回りとしてのヨー軸周りの前記飛翔体の動揺角速度を測定する
空間安定化装置。
【請求項６】
請求項４又は５に記載された空間安定化装置であって、
前記撮像装置は、前記第２軸が回転したときに撮像領域がその長手方向である第１方向に沿って移動するように構成され、
前記制御装置は、前記画像データに基づいて、前記目標物の移動点を算出する移動点算出部を更に有し、
前記ジンバル制御部は、前記第１方向が前記目標物の移動方向に合致するように、前記第１軸を回転させるように構成され、
前記画像変換部は、前記第１軸の回転時における前記目標物の前記撮像領域内の位置の変化が解消されるように、前記画像データを変換する
空間安定化装置。
【請求項７】
飛翔体に設けられ、目標物を撮像し、画像データを生成する撮像装置の空間安定を行う空間安定化装置であって、
ロール軸に一致する第１軸、及び前記第１軸に直交する第２軸を有し、前記第１軸及び前記第２軸の回転により、前記撮像装置の撮像方向を、第１軸周り及び第２軸周りに回転させるジンバル機構と、
前記画像データに基づいて、前記撮像方向が前記目標物を向くように、前記ジンバル機構の動作を制御する制御装置と
を具備し、
前記撮像装置は、前記第２軸が回転したときに撮像領域がその長手方向である第１方向に沿って移動するように構成され、
前記制御装置は、
前記画像データに基づいて、前記目標物の移動点を算出する移動点算出部と、
前記第１方向が前記目標物の移動方向に合致するように、前記第１軸を回転させるジンバル制御部と、
前記画像データを変換し、変換後画像データを生成する画像変換部と
を備え、
前記画像変換部は、前記第１軸の回転に伴う前記撮像領域内における前記目標物の位置の変化が解消されるように、前記画像データを変換する
空間安定化装置。
【請求項８】
飛翔体に設けられ、目標物を撮像し、画像データを生成する撮像装置の空間安定を行う空間安定化方法であって、
ジンバル機構の第１軸及び第２軸を回転させることにより、前記撮像装置の撮像方向を、第１軸周り及び第２軸周りに回転させるステップと、
前記画像データに基づいて、前記撮像方向が前記目標物を向くように、前記ジンバル機構の動作を制御するステップと、
前記飛翔体の動揺角速度を測定するステップと
を具備し、
前記制御するステップは、
前記飛翔体の動揺角速度に基づいて、前記第１軸周りの前記飛翔体の動揺の影響が解消されるように前記第１軸を回転させ、前記第２軸周りの前記飛翔体の動揺の影響が解消されるように前記第２軸を回転させるステップと、
前記第１軸の回転の応答性の限界により前記第１軸の回転だけでは前記第１軸周りの前記飛翔体の動揺の影響が補正されない場合に、前記第１軸周りの前記飛翔体の動揺の影響が補正されるように、前記画像データを変換し、前記第２軸の回転の応答性の限界により前記第２軸の回転だけでは前記第２軸周りの前記飛翔体の動揺の影響が補正されない場合に、前記第２軸周りの前記飛翔体の動揺の影響が補正されるように、前記画像データを変換して、変換後画像データを生成するステップと
を備える
空間安定化方法。
【請求項９】
請求項８に記載された空間安定化方法であって、
前記第１軸の回転時の角速度を第１ジンバル角速度として測定し、及び前記第２軸の回転時の角速度を第２ジンバル角速度として測定するステップ
を更に具備し、
前記制御するステップは、前記飛翔体の前記動揺角速度を、前記第１軸周りの動揺角速度、及び前記第２軸周りの動揺角速度に変換するステップを更に備え、
前記変換後画像データを生成するステップは、前記第１軸周りの動揺角速度と前記第１ジンバル角速度との差分に基づいて、前記第１軸周りの前記飛翔体の動揺の影響が補正されるように、前記画像データを変換し、前記第２軸周りの動揺角速度と前記第２ジンバル角速度との差分に基づいて、前記第２軸周りの前記飛翔体の動揺の影響が補正されるように、前記画像データを変換するステップを備える
空間安定化方法。
【請求項１０】
請求項８又は９に記載された空間安定化方法であって、
前記飛翔体の動揺角速度を測定するステップは、前記飛翔体の動揺角速度として、ロール軸周りの前記飛翔体の動揺角速度、ピッチ軸周りの前記飛翔体の動揺角速度、及びヨー軸周りの前記飛翔体の動揺角速度を測定するステップを含んでいる
空間安定化方法。
【請求項１１】
請求項８乃至１０のいずれか一項に記載された空間安定化方法であって、
前記ジンバル機構は、更に、前記撮像装置の撮像方向を、前記第１軸及び前記第２軸に直交する第３軸周りにも回転させるように構成され、
前記制御するステップは、前記飛翔体の前記動揺角速度に基づいて、前記第３軸周りの前記飛翔体の動揺の影響が解消されるように前記第３軸を回転させるステップを更に含み、
前記変換後画像データを生成するステップは、前記第３軸の回転の応答性の限界により前記第３軸の回転だけでは前記第３軸周りの前記飛翔体の動揺の影響が補正されない場合に、前記第３軸周りの動揺の影響が補正されるように前記画像データを変換するステップを更に含んでいる
空間安定化方法。
【請求項１２】
請求項８乃至１１のいずれか一項に記載された空間安定化方法であって、
前記第１軸は、ロール軸であり、
前記第２軸は、前記ロール軸に直交する軸である
空間安定化方法。
【請求項１３】
請求項１２に記載された空間安定化方法であって、
前記撮像装置は、前記第２軸周りに前記ジンバル機構が回転したときに撮像領域がその長手方向である第１方向に沿って移動するように構成され、
前記制御するステップは、
前記画像データに基づいて、前記目標物の移動点を算出するステップと、
前記第１方向が前記目標物の移動方向に合致するように、前記第１軸を回転させるステップと
を更に含み、
前記変換後画像データを生成するステップは、更に、前記第１軸の回転による前記撮像領域内における前記目標物の位置の変化が相殺されるように、前記画像データを変換するステップを含む
空間安定化方法。
【請求項１４】
飛翔体に設けられ、目標物を撮像し、画像データを生成する撮像装置の空間安定を行う空間安定化方法であって、
ジンバル機構のロール軸に一致する第１軸、及び前記第１軸に直交する第２軸を回転させることにより、前記撮像装置の撮像方向を、前記第１軸周り及び前記第２軸周りに回転させるステップと、
前記画像データに基づいて、前記撮像方向が前記目標物を向くように、前記ジンバル機構の動作を制御するステップと
を具備し、
前記撮像装置は、前記第２軸が回転したときに撮像領域がその長手方向である第１方向に沿って移動するように構成され、
前記制御するステップは、
前記画像データに基づいて、前記目標物の移動点を算出するステップと、
前記第１方向が前記目標物の移動方向に合致するように、前記第１軸を回転させるステップと、
前記画像データを変換して、変換後画像データを生成するステップと
を備え、
前記変換後画像データを生成するステップは、前記第１軸の回転に伴う前記撮像領域内における前記目標物の位置の変化が解消されるように、前記画像データを変換するステップを含んでいる
空間安定化方法。
【請求項１５】
請求項８乃至１４のいずれか一項に記載された空間安定化方法を、コンピュータにより実現するための、空間安定化プログラム。
【発明の詳細な説明】
【技術分野】
【０００１】
本発明は、空間安定化装置、空間安定化方法、及び空間安定化プログラムに関する。
【背景技術】
【０００２】
飛翔体には、目標を追尾するために、目標を撮像する撮像装置が設けられる場合がある。追尾時には、撮像装置により画像データが得られ、画像データに基づいて目標物の方向が算出される。算出結果に基づいて、目標へ向かうように、飛翔体の進路が制御される。
【０００３】
飛翔体は、飛行中に、動揺することがある。動揺により、画像データ中における目標の位置が、安定しなくなる。その結果、目標の方向を正確に算出することが困難になる場合がある。そこで、画像データ中における目標の位置を安定させる処理、すなわち、空間安定処理が実施される。
【０００４】
図１は、空間安定処理を行なう為の空間安定化装置の一例を示す概略図である。この空間安定化装置１００は、ジンバルにより空間安定処理を実施するように構成されている。すなわち、空間安定化装置１００は、角速度センサ１０４及びジンバル機構１０６を有している。図示していないが、撮像装置は、ジンバル機構１０６に搭載される。ジンバル機構１０６は、ピッチ軸周り及びヨー軸周りに回転するように構成されている。角速度センサ１０４は、ロール軸周り、ピッチ軸、及びヨー軸周りの飛翔体の動揺角速度を測定する機能を有している。また、角速度センサ１０１は、ジンバル機構１０６から、ジンバル軸の駆動角速度を示すデータを取得する。そして、角速度センサ１０４が、飛翔体の角速度とジンバル軸の駆動角速度とに基づいて、撮像装置の空間安定が行われるように、ジンバル機構１０６の動作を制御する。
【０００５】
図２は、空間安定化装置の他の例を示す概略図である。この空間安定化装置１００は、ジンバルではなく、画像変換により空間安定処理を実施するように構成されている。すなわち、この空間安定化装置１００は、角速度センサ１０４及び計算機１０５を備えている。撮像装置（図示せず）は、飛翔体に直接に取り付けられている。角速度センサ１０４は、ロール軸周り、ピッチ軸、及びヨー軸周りの飛翔体の角速度を測定する。計算機１０５は、角度センサ１０４の測定結果に基づいて、撮像装置により得られた画像データを変換し、飛翔体の動揺による影響を抑制する。
【０００６】
上記に関連して、特許文献１（特開平４−２４５０９号公報）には、ジンバル上の撮像部の動揺に対する補正方式が開示されている。この補正方式では、レートセンサによる飛翔体の動揺角速度が、ジンバル２軸回り及び撮像部の視軸周りの動揺角速度に変換される点、ジンバル２軸周りの動揺角速度がジンバルに供給され、撮像部の空間安定が図られる点、及び、視軸周りの動揺に対してはジンバルが回転できないため、視軸周り動揺角速度を撮像部の画像処理部に供給して画像変換を行なうことにより、視軸周りの動揺を補正する点が開示されている。
【先行技術文献】
【非特許文献】
【０００７】
【特許文献１】特開平４−２４５０９号公報
【発明の概要】
【発明が解決しようとする課題】
【０００８】
特許文献１に記載される補正方式によれば、ジンバル２軸周りの動揺角速度が、ジンバル２軸の回転により、補正される。しかしながら、ジンバル機構の応答性には限界がある。すなわち、ジンバル軸の回転速度には、限界がある。そのため、ジンバル軸の回転速度の限界を超えて飛翔体が動揺した場合、空間安定が困難になるという問題点があった。
【課題を解決するための手段】
【０００９】
本発明に係る空間安定化装置は、飛翔体に設けられ、目標物を撮像し、画像データを生成する、撮像装置と、第１軸周り及び第２軸周りに回転することにより、前記撮像装置の撮像方向を、前記第１軸周り及び前記第２軸周りに回転させる、ジンバル機構と、前記画像データに基づいて、前記撮像方向が前記目標物を向くように、前記ジンバル機構の動作を制御する、制御装置と、前記飛翔体の動揺角速度を測定する、機体角速度センサと、前記第１軸周りの前記ジンバル機構の角度である、第１軸ジンバル角度、及び前記第２軸周りの前記ジンバル機構の角度である、第２軸ジンバル角度を測定するジンバル角度センサとを具備する。前記制御装置は、前記飛翔体の動揺角速度を、前記第１軸周りの動揺角速度、前記第２軸周りの動揺角速度、及び前記第１軸及び前記第２軸周りに直交する第３軸周りの動揺角速度に変換する、角速度変換部と、前記変換された第１軸周りの動揺角速度に基づいて、前記第１軸周りの動揺が解消されるように、前記ジンバル機構が前記第１軸周りを回転し、前記変換された第２軸周りの動揺角速度に基づいて、前記第２軸周りの動揺が解消されるように、前記ジンバル機構を前記第２軸周りに回転させる、ジンバル制御部と、前記画像データを変換し、変換後画像データ（変換後目標方向）を生成する、画像変換部とを備える。前記画像変換部は、前記第１軸周りの前記ジンバル機構の回転だけでは前記第１軸周りの動揺が解消されない場合に、前記第１ジンバル角速度及び前記第１軸周りの動揺角速度に基づいて、前記第１軸周りの動揺が解消されるように、前記画像データを変換し、前記第２軸周りの前記ジンバル機構の回転だけでは前記第２軸周りの動揺が解消されない場合に、前記第２軸ジンバル角速度及び前記第２軸周りの動揺角速度に基づいて、前記画像データを、前記第２軸周りの動揺が解消されるように、変換し、前記第３軸周りの動揺角速度に基づいて、前記第３軸周りの動揺が解消されるように、前記画像データを変換する。
【００１０】
本発明に係る他の空間安定化装置は、飛翔体に設けられ、目標物を撮像し、画像データを生成する、撮像装置と、ロール軸周り及びロール軸に直交する直交軸周りに回転することにより、前記撮像装置の撮像方向を、前記ロール軸周り及び前記直交軸周りに回転させる、ジンバル機構と、前記画像データに基づいて、前記撮像方向が前記目標物を向くように、前記ジンバル機構の動作を制御する、制御装置とを具備する。前記撮像装置は、第２軸周りに前記ジンバル機構が回転したときに撮像領域が第１方向に沿って移動するように構成される。前記撮像領域は、前記第１方向に長くなるように構成されている。前記制御装置は、前記画像データに基づいて、前記目標物の移動点を算出する、移動点算出部と、前記第１方向が前記目標物の方向に合致するように、前記ジンバル機構を前記ロール軸周りに回転させるジンバル制御部と、前記画像データを変換し、変換後画像データ（変換後目標方向含む）を生成する、画像変換部とを備える。前記画像変換部は、前記ジンバル機構の前記ロール軸周りの回転に伴う前記撮像領域内における前記目標物の動揺が解消されるように、前記画像データを変換する。
【００１１】
本発明に係る空間安定化方法は、飛翔体に設けられた撮像装置により、目標物を撮像し、画像データを生成するステップと、ジンバル機構を第１軸周り及び第２軸周りに回転させることにより、前記撮像装置の撮像方向を、前記第１軸周り及び前記第２軸周りに回転させるステップと、前記画像データに基づいて、前記撮像方向が前記目標物を向くように、前記ジンバル機構の動作を制御するステップと、前記飛翔体の動揺角速度を測定するステップと、前記第１軸周りの前記ジンバル機構の角速度である、第１軸ジンバル角速度、及び前記第２軸周りの前記ジンバル機構の角速度である、第２軸ジンバル角速度を測定するステップとを具備する。前記制御するステップは、前記飛翔体の動揺角速度を、前記第１軸周りの動揺角速度、前記第２軸周りの動揺角速度、及び前記第１軸及び前記第２軸周りに直交する第３軸周りの動揺角速度に変換するステップと、前記変換された第１軸周りの動揺角速度に基づいて、前記第１軸周りの動揺が解消されるように、前記ジンバル機構を前記第１軸周りに回転させ、前記変換された第２軸周りの動揺角速度に基づいて、前記第２軸周りの動揺が解消されるように、前記ジンバル機構を前記第２軸周りに回転させるステップと、前記画像データを変換し、変換後画像データを生成するステップとを備える。前記変換後画像データを生成するステップは、前記第１軸周りの前記ジンバル機構の回転だけでは前記第１軸周りの動揺が解消されない場合に、前記第１ジンバル角速度及び前記第１軸周りの動揺角速度に基づいて、前記第１軸周りの動揺が解消されるように、前記画像データを変換し、前記第２軸周りの前記ジンバル機構の回転だけでは前記第２軸周りの動揺が解消されない場合に、前記第２軸ジンバル角速度及び前記第２軸周りの動揺角速度に基づいて、前記画像データを、前記第２軸周りの動揺が解消されるように、変換し、前記第３軸周りの動揺角速度に基づいて、前記第３軸周りの動揺が解消されるように、前記画像データを変換するステップを含んでいる。
【００１２】
本発明に係る空間安定化プログラムは、上述の空間安定化方法を、コンピュータにより実現するための、プログラムである。
【発明の効果】
【００１３】
本発明によれば、ジンバル機構の応答性能に関係なく、十分に空間安定を行うことができる、空間安定化装置、空間安定化方法、及び空間安定化プログラムが提供される。
【図面の簡単な説明】
【００１４】
【図１】空間安定化装置の一例を示す概略図である。
【図２】空間安定化装置の他の例を示す概略図である。
【図３】第１の実施形態に係る空間安定化装置が搭載された飛翔体を示す概略図である。
【図４】空間安定化装置を示す機能ブロック図である。
【図５】制御装置を示す機能ブロック図である。
【図６】第１の実施形態に係る空間安定化装置の作用効果を概念的に示す図である。
【図７】撮像領域を示す概念図である。
【図８】第２の実施形態に係る空間安定化装置を示す機能ブロック図である。
【図９】制御装置を示す機能ブロック図である。
【図１０】第３の実施形態に係る空間安定化装置を示す機能ブロック図である。
【発明を実施するための形態】
【００１５】
以下に、図面を参照しつつ、本発明の実施形態について説明する。
【００１６】
（第１の実施形態）
図３は、本実施形態に係る空間安定化装置が搭載された飛翔体１を示す概略図である。図３（ａ）には、飛翔体１を側面から見た図が示されており、図３（ｂ）には、飛翔体１を後方から見たときの図が示されている。図３（ａ）に示されるように、飛翔体１には、ロール軸（Ｘ軸）、ピッチ軸（Ｙ軸）、及びヨー軸（Ｚ軸）が設定される。ロール軸とは、飛翔体１の進行方向に沿う軸である。ピッチ軸は、ロール軸に直交する軸である。ヨー軸は、ロール軸及びピッチ軸の双方に直交する軸である。
【００１７】
図３（ａ）に示されるように、飛翔体１には、カメラ３（撮像装置）、及び空間安定化装置６が搭載されている。
【００１８】
カメラ３は、追尾目標を撮像し、画像データを生成する機能を有している。カメラ３は、進行方向の前方を向くように、取り付けられている。
【００１９】
空間安定化装置６は、カメラ３を空間安定させる装置である。空間安定化装置６は、ジンバル機構２、角速度センサ５、及び制御装置４を有している。
【００２０】
ジンバル機構２は、３軸ジンバルであり、飛翔体１に取り付けられている。ジンバル機構２は、カメラ３の撮像方向及び撮像領域を、回転させる機能を有している。図３（ａ）に示される例では、カメラ３は、飛翔体１に取り付けられており、光が、ジンバル機構２に設けられた光学部材等を介して、カメラ３に入射する。そのため、ジンバル機構２に含まれる軸を回転させることにより、カメラ３の撮像方向及び撮像領域も回転するようになっている。尚、カメラ３は、ジンバル機構２上に搭載されていてもよい。
【００２１】
ジンバル機構２は、ロール軸に一致する第１軸、ロール軸に直交する第２軸、及び第１軸と第２軸の双方に直交する第３軸を備えている。第１軸乃至第３軸の各軸は、回転可能である。各軸の駆動角度が基準角度である場合、第２軸はピッチ軸に沿い、第３軸はヨー軸に沿うようになっている。図３（ｂ）に示されるように、ジンバル機構２は、第１軸（Ｘ軸）が回転した場合に、カメラ３の撮像領域が第１軸（ロール軸）周りに回転するように、設けられている。また、ジンバル機構２の第２軸（ピッチ軸Ｙｇ）が回転した場合、カメラ３の撮像方向は、第２軸周りに回転する。更に、ジンバル機構２の第３軸（ヨー軸Ｚｇ）が回転した場合、カメラ３の撮像方向は、第３軸周りに回転する。
【００２２】
図４は、空間安定化装置６を示す機能ブロック図である。上述の通り、空間安定化装置６は、角速度センサ５、制御装置４、及びジンバル機構２を備えている。
【００２３】
角速度センサ５は、飛翔体１の動揺による角速度を測定する機能を有している。具体的には、角速度センサ５は、ロール軸周りの飛翔体１の動揺角速度、ピッチ軸周りの飛翔体１の動揺角速度、及びヨー軸周りの飛翔体１の動揺角速度を測定する。測定結果は、飛翔体の動揺角速度データとして、制御装置４に通知される。
【００２４】
制御装置４は、飛翔体１の動揺角速度データに基づいて、空間安定用コマンドを生成し、ジンバル機構２の動作を制御する機能を有している。制御装置４は、例えば、予めインストールされた空間安定化プログラムがＣＰＵにより実行されることにより、実現される。
【００２５】
ジンバル機構２は、既述のように、第１乃至３軸を有している。また、ジンバル機構２は、ジンバル制御用計算機７、ジンバル駆動部８、及び角度センサ９を有している。ジンバル駆動部８は、第１乃至第３軸を回転させる機能を有している。ジンバル制御用計算機７は、空間安定用コマンドに基づいて、ジンバル駆動部８を制御する為の信号を生成し、ジンバル駆動部８に供給する機能を有している。角度センサ９は、第１軸乃至第３軸の駆動角度を測定する機能を有している。
【００２６】
本実施形態における空間安定化装置６では、制御装置４が、角速度センサ５から、ロール軸周りの飛翔体１の動揺角速度、ピッチ軸周りの飛翔体１の動揺角速度、及びヨー軸周りの飛翔体１の動揺角速度の測定結果を取得する。制御装置４は、その測定結果に基づいて、カメラ３が撮像する画像において飛翔体１の動揺による影響が相殺されるように、空間安定用コマンドを生成し、ジンバル機構２の各軸の回転を制御する。
【００２７】
ジンバル機構２は、空間安定用コマンドに応じて、第１軸乃至第３軸周りに回転する。具体的には、ジンバル制御用計算機７が、空間安定用コマンドを取得する。ジンバル制御用計算機７は、角度センサ９より、各軸の駆動角度を示すデータを取得する。そして、ジンバル制御用計算機７は、空間安定用コマンド及び駆動角度を示すデータに基づいて、空間安定用コマンドに示される指示に従って各軸（第１軸、第２軸、及び第３軸）が回転するように、ジンバル駆動部８の動作を制御する。これにより、第１軸乃至第３軸が回転し、カメラ３が撮像する画像において飛翔体１の動揺による影響が相殺される。また、このとき、角度センサ９は、第１軸乃至第３軸の駆動角度を測定し、制御装置４に通知する。
【００２８】
上述のような機能により、カメラ３の空間安定を行うことができる。カメラ３が撮像した画像データは、制御装置４に通知され、制御装置４は、画像データに基づいて、目標の方向を算出する。算出された目標の方向は、飛翔体１の進路を制御する為等に使用される。
【００２９】
しかしながら、飛翔体１の動揺角速度が、ジンバル機構２の応答性（第１軸および第２軸の回転速度の限界）を超えていた場合、ジンバル機構２の回転だけでは飛翔体１の動揺による影響を相殺することができない場合がある。その結果、カメラ３の空間安定が困難となる場合がある。そこで、本実施形態では、ジンバル機構２の応答性に関わらず空間安定を行うことができるように、制御装置４の構成及び動作が工夫されている。以下に、制御装置４の構成及び動作について説明する。
【００３０】
図５は、制御装置４を示す機能ブロック図である。制御装置４は、角速度変換部１０、ジンバル制御部１１、画像変換部１２、及びジンバル角速度センサ１３を備えている。
【００３１】
角速度変換部１０は、角速度センサ５から取得した飛翔体１の動揺角速度データに基づいて、飛翔体１の動揺角速度を、第１軸周りの動揺角速度、第２軸周りの動揺角速度、及び第３軸周りの動揺角速度に変換する機能を有している。
【００３２】
ジンバル制御部１１は、第１乃至第３軸周りの動揺角速度に基づいて、飛翔体１の動揺による影響が抑えられるように、ジンバル機構２を制御するための空間安定用コマンドを生成する。例えば、ジンバル機構２の各軸が、飛翔体１が動揺する方向とは逆向きに、各軸周りの飛翔体１の動揺角速度で回転すれば、カメラ３が撮像する画像において、飛翔体１の動揺による影響が相殺される。従って、制御装置４は、空間安定用コマンドとして、各軸を飛翔体１の動揺角速度で逆向きに回転させるようなコマンドを生成し、ジンバル機構２に供給する。
【００３３】
ジンバル角速度センサ１３は、ジンバル機構２から、各軸の駆動角度を示すデータを取得し、取得したデータに基づいて、第１軸のジンバル角速度、第２軸のジンバル角速度、及び第３軸のジンバル角速度を算出する。
【００３４】
画像変換部１２は、カメラ３から、画像データを取得する。また、画像変換部１２は、角速度変換部１０から、第１乃至第３軸周りの飛翔体１の動揺角速度を示すデータを取得する。更に、画像変換部１２は、ジンバル角速度センサ１３から、第１軸乃至第３軸周りのジンバル角速度を示すデータを取得する。画像変換部１２は、第１軸乃至第３軸のそれぞれについて、飛翔体１の動揺角速度と、ジンバル角速度とを比較する。なお、比較対照は飛翔体１の動揺角度と、ジンバル駆動角度でもよい。飛翔体１の動揺角速度がジンバル角速度よりも大きい場合には、飛翔体１の動揺が、ジンバル機構２の応答性を超えていることになる。従って、この場合、画像変換部１２は、各軸に関する飛翔体１の動揺角速度とジンバル角速度との差分を計算し、計算結果に基づいて、残存した動揺成分が打ち消されるように、画像データを変換し、変換後画像データを生成する。
【００３５】
変換後画像データは、目標の方向の算出等に用いられ、算出結果に基づいて、飛翔体１の進路が制御される。なお、前記残存した動揺成分の打消しは、画像データを変換して算出した目標方向に対して実施し、変換後目標方向を生成しても良い。
【００３６】
図６は、本実施形態に係る空間安定化装置の作用効果を概念的に示す図である。図６（ａ）は、飛翔体１が動揺する前における、カメラ３の撮像領域１４を示している。図６（ａ）には、ジンバル機構２の第１軸（ロール軸Ｘ）、第２軸（Ｙｇ）、第３軸（Ｚｇ）、飛翔体１のピッチ軸（Ｙ）、及びヨー軸（Ｚ）が示されている。図６（ａ）に示されるように、動揺前においては、第２軸Ｙｇはピッチ軸Ｙに一致しており、第３軸Ｚｇはヨー軸Ｚに一致している。また、撮像領域１４には、中央付近に、目標１５が写っている。
【００３７】
ここで、図６（ｂ）に示されるように、飛翔体１が、ロール軸Ｘ（第１軸）周りに、単位時間当たり、角度ａだけ、動揺（回転）したとする。この場合、ピッチ軸Ｙは、動揺前の位置から、角度ａだけずれ、ヨー軸Ｚも、動揺前の位置から角度ａだけずれる。この動揺の影響を抑えるためには、第１軸Ｘを、角度ａだけ、動揺の方向とは逆向きに回転させる必要がある。しかしながら、図６（ｂ）に示される例においては、ジンバル機構２の応答性能から、第１軸は、角度ｂしか回転できていない。すなわち、動揺後の第２軸Ｙｇ、及び動揺後の第３軸Ｚｇは、それぞれ、動揺前の位置から、依然として、角度ｃだけずれている。その結果、撮像領域１４において、中央部分に目標１５を捉えることが困難となる。しかしながら、本実施形態では、画像変換部１２により、角度ａと角度ｂの差分である角度ｃだけ撮像領域１４が回転するように、画像データが変換される。これにより、撮像領域１４の中央付近に目標１５を捉えることが可能になり、空間安定を行うことができる。
【００３８】
以上説明したように、本実施形態によれば、ジンバル機構２の回転速度が飛翔体１の動揺に追いつかない場合であっても、画像変換部１２により、飛翔体１の動揺が相殺されるように、画像データが変換される。従って、ジンバル機構２の応答性能に関係なく、十分にカメラ３の空間安定を行うことができる。
【００３９】
＜第１の実施形態の変形例＞
尚、本実施形態では、ジンバル機構２が、３軸ジンバルである場合について説明した。但し、ジンバル機構２は、必ずしも３軸ジンバルである必要はなく、例えば、２軸ジンバルであってもよい。本変形例では、ジンバル機構２が、第１軸（ロール軸）周り、及びロール軸に直交する第２軸周りに回転するものとする。
【００４０】
本変形例では、ジンバル制御部１１は、第１軸周りの飛翔体１の動揺角速度、及び第２軸周りの飛翔体１の動揺角速度に基づいて、第１軸及び第２軸を回転させる旨の指示を空間安定用コマンドとして生成し、ジンバル機構２に通知する。これにより、ジンバル機構２では、第１軸及び第２軸が回転する。
【００４１】
そして、制御装置４の画像変換部１２は、第１軸及び第２軸のそれぞれについて、飛翔体１の動揺角速度とジンバル角速度とを比較し、比較結果に応じて、画像データを変換し、変換後画像データを生成する。なお、比較対照は飛翔体１の動揺角度と、ジンバル駆動角度でもよい。なお、前記変換後画像データは、前記画像データを変換した目標方向に対して実施し、変換後目標方向を生成しても良い。また、ジンバル機構２では、飛翔体１の第３軸周りの動揺を相殺することは出来ない。従って、画像変換部１２は、第３軸周りの飛翔体１の動揺角速度に基づいて、第３軸周りの動揺が解消されるように、画像データを変換する。
【００４２】
以上の構成、動作により、本変形例によっても、ジンバル機構２において、第１軸及び第２軸の回転速度の限界を超えて飛翔体１が動揺する場合であっても、空間安定を行うことが可能になる。
【００４３】
（第２の実施形態）
続いて、第２の実施形態について説明する。本実施形態では、第１の実施形態に対して、制御装置４の構成及び動作が変更されている。その他の点については、第１の実施形態と同様とすることができるので、詳細な説明は省略する。
【００４４】
図７は、撮像領域１４を示す概念図である。図７を参照して、本実施形態の概要を説明する。図７（ａ）には、初期状態が示されている。図７（ａ）に示されるように、カメラ３は、撮像領域１４の長手方向が第１方向となるように、構成されている。そして、第１方向は、第２軸Ｙｇが回転したときに、撮像領域１４が移動する方向となっている。ここで、撮像領域１４には、目標１５が写っている。
【００４５】
ここで、図７（ａ）に示されるように、目標１５は、撮像領域１４において、第１方向とは直交する方向（Ｙ軸に沿う方向）に移動しているものとする。このような場合、目標１５の移動方向と第１方向とが異なっているので、目標１５が、撮像領域１４から外れやすい。そこで、本実施形態では、目標１５が撮像領域１４から外れてしまうことを防止するため、図７（ｂ）に示されるように、撮像領域１４の長手方向（第１方向）が目標１５の移動点に一致するように、第１軸（Ｘ軸）が回転させられる。その後、第２軸（Ｙｇ軸）が回転することにより、目標１５の移動に対応するように撮像領域１４が第１方向に沿って移動し、目標１５が撮像領域１４内に収められる。なお実際は前記第１軸と前記第２軸は連動して移動する。
【００４６】
ここで、第１軸（Ｘ）を回転させると、撮像領域１４内における目標１5の位置が、変化してしまう。そこで、本実施形態は、このときの目標１５の位置の変化が相殺されるように、画像データが変換される。これにより、目標１５を撮像領域１４内に収めるために第１軸が回転した場合であっても、撮像領域１４内における目標１５の位置を安定させることができ、空間安定処理を実施することが可能になる。
【００４７】
以下、本実施形態について具体的に説明する。
【００４８】
図８は、本実施形態に係る空間安定化装置６を示す機能ブロック図である。本実施形態では、制御装置４が、カメラ３から、画像データを取得すると、目標ロスト防止用コマンドを生成し、ジンバル機構２に供給する。目標ロスト防止用コマンドは、目標がカメラ３の撮像領域から外れることを防止するためのコマンドであり、ロール軸（第１軸）の回転を指示するコマンドである。ジンバル機構２は、目標ロスト防止用コマンドに基づいて、目標がカメラ３の撮像領域から外れないように、第１軸を回転させる。
【００４９】
図９は、制御装置４を示す機能ブロック図である。制御装置４は、移動点算出部１６、ジンバル制御部１１、画像変換部１２、及びジンバル角速度センサ１３を備えている。
【００５０】
移動点算出部１６は、画像データに基づいて、撮像領域１４内における目標１５の移動点を算出し、算出結果を示す移動点データを生成する。
【００５１】
ジンバル制御部１１は、移動点データに基づいて、第１方向を目標１５の移動方向に一致させる為に必要な第１軸の回転量を計算し、第１軸を必要な回転量だけ回転させるコマンドを、目標ロスト防止用コマンドとして、ジンバル機構２に通知する。その結果、ジンバル機構２では、目標ロスト防止用コマンドに従って、第１軸が回転する。
【００５２】
ジンバル角速度センサ１３は、ジンバル機構２に含まれる角度センサ９から、第１軸の駆動角度（ジンバル駆動角度）を示すデータを取得する。そして、ジンバル角速度センサ１３は、駆動角度を示すデータの計時変化に基づいて、第１軸の角速度を計算し、計算結果を示すデータを画像変換部１２に通知する。
【００５３】
画像変換部１２は、第１軸の角速度、第２軸の角速度を示すデータに基づいて、第１軸の回転が相殺されるように、画像データを回転させ、変換後画像データを生成する。なお、前記変換後画像データは、前記画像データに基づいて算出した目標方向を回転させ、変換後目標方向を生成しても良い。
【００５４】
以上説明したように、本実施形態によれば、目標１５を撮像領域１４内に捉える為にジンバル機構２の第１軸が回転した場合であっても、画像変換により、その回転に伴う撮像領域１４内の目標１５の位置の変化が抑えられる。第１軸の回転にもかかわらず、撮像領域１４内における目標１５の位置を安定させることができる。すなわち、空間安定処理を施すことが可能になる。
【００５５】
尚、本実施形態においても、第１の実施形態の変形例と同様に、ジンバル機構２として、３軸ジンバルではなく、２軸ジンバルが採用されてもよい。２軸ジンバルが用いられる場合、ジンバル機構２の２つの軸のうちの一方は、ロール軸（第１軸）になる。このように、ジンバル機構２として、２軸ジンバルを用いた場合であっても、３軸ジンバルを用いた場合と同様の作用効果を奏することが可能となる。
【００５６】
（第３の実施形態）
続いて、第３の実施形態について説明する。本実施形態では、第１の実施形態と第２の実施形態とが組み合わせられている。
【００５７】
図１０は、本実施形態に係る空間安定化装置６を示す機能ブロック図である。この空間安定化装置６は、カメラ３から画像データを取得する制御装置４、角速度センサ５、及びジンバル機構２を備えている。制御装置４は、角速度センサ５から、ロール軸、ピッチ軸及びヨー軸周りの飛翔体１の動揺角速度を示すデータを取得し、第１の実施形態と同様に、飛翔体１の動揺を相殺するための空間安定用コマンドを生成する。また、第２の実施形態と同様に、制御装置４は、画像データに基づいて、目標ロスト防止用コマンドを生成する。ジンバル機構２では、空間安定用コマンド及び目標ロスト防止用コマンドに基づいて、飛翔体１の動揺が相殺され、撮像領域内に目標が収まるように、第１乃至第３軸が回転させられる。そして、制御装置４は、角度センサ９から、ジンバル機構２の各軸の駆動角度を示すデータを取得し、各軸の角速度を求める。そして、求めた角速度に基づいて、画像データを変換し、変換後画像データを生成する。
【００５８】
本実施形態によれば、第１の実施形態と同様に、ジンバル機構２の応答性能に関係なく、十分にカメラ３の空間安定を行うことができる。また、第２の実施形態と同様に、目標ロスト防止用コマンドによって、ジンバル機構２の第１軸が回転した場合であっても、画像変換により、その回転に伴う撮像領域１４内の目標１５の位置の変化が抑えられる。
【００５９】
また、本実施形態においても、既述の実施形態と同様に、ジンバル機構２として、３軸ジンバルではなく、２軸ジンバルを用いることが可能である。
【００６０】
以上、本発明について、第１乃至第３の実施形態を用いて説明した。尚、これらの実施形態は互いに独立するものではなく、矛盾のない範囲内で組み合わせて用いることも可能である。
【符号の説明】
【００６１】
１  飛翔体
２  ジンバル機構
３  カメラ（撮像装置）
４  制御装置
５  角速度センサ
６  空間安定化装置
７  ジンバル制御用計算機
８  ジンバル駆動部
９  角度センサ
１０  角速度変換部
１１  ジンバル制御部
１２  画像変換部
１３  ジンバル角速度センサ
１４  撮像領域
１５  目標
１００  空間安定化装置
１０４  角速度センサ
１０２  ジンバル制御用計算機
１０３  ジンバル駆動部
１０５  計算機
１０６  ジンバル機構
【図１】
0006045144.tif 000002
【図２】
0006045144.tif 000003
【図３】
0006045144.tif 000004
【図４】
0006045144.tif 000005
【図５】
0006045144.tif 000006
【図６】
0006045144.tif 000007
【図７】
0006045144.tif 000008
【図８】
0006045144.tif 000009
【図９】
0006045144.tif 000010
【図１０】
0006045144.tif 000011